(57)【要約】【課題】両軸受リールにおいて、カウンタ部の視認性を向上するとともにカウンタ部の操作性を維持する。【解決手段】両軸受リールは、リール本体１と、ハンドル部２と、スプール３と、カウンタ部４とを主に備えている。リール本体１は、釣竿に装着可能になっている。ハンドル部２は、リール本体１に回転自在に装着されている。スプール３は、リール本材１に回転自在に装着されている。カウンタ部４は、リール本体１に設けられており、タッチパネル式の表示部５を含んでいる。このタッチパネル式の表示部５は、表面を押圧することで、リール操作が可能になっており、かつ各種情報も表示可能になっている。【選択図】      図２
2004290067.tif 000002
【特許請求の範囲】
【請求項１】
釣竿に着脱自在に装着され、前方に釣り糸を繰り出す両軸受リールであって、
前記釣竿に装着可能なリール本体と、
前記リール本体に設けられ、表面を押圧してリール操作可能かつ各種情報を表示可能なタッチパネル式の表示部を含むカウンタ部と、
前記リール本体に回転自在に装着されるハンドル部と、
前記リール本体に回転自在に装着されるスプールと、
を備える両軸受リール。
【請求項２】
前記タッチパネル式の表示部は、前記表面の押圧時に振動する振動式タッチパネルからなる、請求項１に記載の両軸受リール。
【請求項３】
前記タッチパネル式の表示部は、前記表面から音を発するスピーカ機能を有している、請求項１又は２に記載の両軸受リール。
【請求項４】
前記タッチパネル式の表示部には、前記表面に凸部が形成されている、請求項１から３のいずれかに記載の両軸受リール。
【請求項５】
前記タッチパネル式の表示部には、前記表面に凹部が形成されている、請求項１から４のいずれかに記載の両軸受リール。
【請求項６】
前記タッチパネル式の表示部には、前記表面に凸状又は凹状のシール部材を貼り付け可能になっている、請求項１から５のいずれかに記載の両軸受リール。
【請求項７】
前記カウンタ部は、前記リール本体の竿装着部から離反する側に設けられている、請求項１から６のいずれかに記載の両軸受リール。
【請求項８】
前記カウンタ部は、前記リール本体の前記釣り糸が繰り出される側に配置されている、請求項１から７のいずれかに記載の両軸受リール。
【発明の詳細な説明】
【０００１】
【発明の属する技術分野】
本発明は、両軸受リール、特に、釣竿に着脱自在に装着され、前方に釣り糸を繰り出す両軸受リールに関する。
【０００２】
【従来の技術】
一般に、両軸受リールは、釣竿に取り付けられるリール本体と、ハンドル部と、スプールと、カウンタ部とを備えている。ハンドル部は、釣竿の中心軸にくい違う軸回りに回転自在にリール本体に装着されている。スプールは、ハンドル部の回転軸と平行なスプール軸回りに回転自在にリール部材に装着されている。カウンタ部は、リール本体の上部に設けられている。このカウンタ部には、表示部と操作スイッチとが配置されている。表示部は、棚位置や現在の仕掛けの水深等を表示可能になっている。操作スイッチは、表示部の周辺に配置されている。この操作スイッチは、例えば、電動リールのモータを操作したり、表示部の表示内容を切り替えたり、各種情報を設定したりするときに利用される。（たとえば、特許文献１参照）
【０００３】
【特許文献１】
特開２０００−３００１２９号公報（第１図、第２図）
【０００４】
【発明が解決しようとする課題】
従来の両軸受リールでは、カウンタ部に表示部と操作スイッチとが配置されているので、表示部の表示内容が見やすくなるように表示部を大きくすると、カウンタ部で表示部の占める部分が大きくなる。すると、操作スイッチを表示部の周辺に配置しずらくなるだけでなく、操作スイッチの大きさも制限されるおそれがある。このように、カウンタ部において、操作スイッチの配置や大きさが、表示部の大型化に伴う制約を受けて操作しにくくなるおそれがある。
【０００５】
本発明の課題は、両軸受リールにおいて、カウンタ部の視認性を向上するとともにカウンタ部の操作性を維持することにある。
【０００６】
【課題を解決するための手段】
発明１に係る両軸受リールは、釣竿に着脱自在に装着され、前方に釣り糸を繰り出す両軸受リールであって、リール本体と、カウンタ部と、ハンドル部と、スプールとを備えている。リール本体は、釣竿に装着可能になっている。カウンタ部は、リール本体に設けられており、タッチパネル式の表示部を含んでいる。このタッチパネル式の表示部は、表面を押圧することで、リール操作が可能になっており、かつ各種情報も表示可能になっている。ハンドル部は、リール本体に回転自在に装着されている。スプールは、リール本体に回転自在に装着されている。
【０００７】
この両軸受リールでは、リール本体に設けられたカウンタ部が、タッチパネル式の表示部を有している。タッチパネル式の表示部は、表面を押圧することで、リールを操作することができるとともに、各種情報を表示することができる。
ここでは、表示部がタッチパネル式になっているので、表示部に操作スイッチを表示させることにより、カウンタ部の操作スイッチが不要になり、カウンタ部のほぼ全面に表示部を設定することができる。また、表示部をタッチパネル式にしたことで、操作スイッチの配置や形状は任意に設定できるので、操作スイッチを操作しやすい位置や大きさで表示することができる。これらのことから、カウンタ部の視認性を向上することができるとともに、カウンタ部の操作性も維持することができる。
【０００８】
発明２に係る両軸受リールは、発明１の両軸受リールにおいて、タッチパネル式の表示部が、表面の押圧時に振動する振動式タッチパネルからなっている。この場合、表示部に表示された操作スイッチを押すと表示部が振動する。これにより、操作スイッチで行った操作が、表示部に認識されたかどうかを振動によって確認することができる。
【０００９】
発明３に係る両軸受リールは、発明１又は２の両軸受リールにおいて、タッチパネル式の表示部が、表面から音を発するスピーカ機能を有している。この場合、表示部に表示された操作スイッチを押すと表示部から音が発生する。これにより、操作スイッチで行った操作が、表示部に認識されたかどうかを音によって確認することができる。
【００１０】
発明４に係る両軸受リールは、発明１から３のいずれかの両軸受リールにおいて、タッチパネル式の表示部には表面に凸部が形成されている。この場合、表示部に表示された操作スイッチの位置に凸部を形成しておくと、操作スイッチの表示位置を容易に認識することができる。特に、操作スイッチの表示位置に凸部を形成しておけば、表示部を見なくても、操作スイッチの表示位置を認識でき、操作スイッチを操作しやすくなる。
【００１１】
発明５に係る両軸受リールは、発明１から４のいずれかの両軸受リールにおいて、タッチパネル式の表示部には表面に凹部が形成されている。この場合、表示部に表示された操作スイッチの位置に凹部を形成しておくと、操作スイッチの表示位置を容易に認識することができる。特に、操作スイッチの表示位置に凹部を形成しておけば、表示部を見なくても、操作スイッチの表示位置を認識でき、操作スイッチを操作しやすくなる。
【００１２】
発明６に係る両軸受リールは、発明１から５のいずれかの両軸受リールにおいて、タッチパネル式の表示部には、表面に凸状又は凹状のシール部材が貼り付け可能になっている。この場合、凸状又は凹状のシール部材を操作スイッチの表示位置に貼り付けると、操作スイッチの表示位置を容易に認識することができる。特に、操作スイッチの表示位置に凸部又は凹状のシール部材を貼り付けておけば、表示部を見なくても、操作スイッチの表示位置を認識でき、操作スイッチを操作しやすくなる。
【００１３】
発明７に係る両軸受リールは、発明１から６のいずれかの両軸受リールにおいて、カウンタ部がリール本体の竿装着部から離反する側に設けられている。この場合、表示部の操作スイッチを操作しやすくなるとともに、表示部の各種情報を視認しやすくなる。
発明８に係る両軸受リールは、発明１から７のいずれかの両軸受リールにおいて、カウンタ部が、リール本体の釣り糸が繰り出される側に配置されている。この場合、カウンタ部が、リール本体の釣り糸が繰り出される側、すなわち、リール本体の前方側に配置されているので、釣り糸の繰り出し状況を確認しながら、表示部の操作スイッチを操作したり、表示部の各種情報を把握したりすることができる。
【００１４】
【発明の実施の形態】
〔電動リールの構成〕
電動リールは、図１及び図２に示すように、リール本体１と、ハンドル部２と、スプール３と、カウンタ部４とを主に備えている。
リール本体１は、間隔を隔てて配置された側板６ａ、６ｂと、側板６ａ、６ｂの外方をそれぞれ覆う側カバー７ａ、７ｂと、側板６ａ、６ｂ間の前方を覆う前カバー８とを有している。側板６ａ、６ｂは、リール本体１の複数箇所に設けられた連結部９により互いに連結されている。側カバー７ａの後方には、外部電源から電力を供給するコードを連結するための雄コネクタ部１４が設けられている。また、リール本体１の内部には、ハンドル部２の回転を増速するとともにスプール３に伝達する回転伝達機構や、モータ１２の回転を減速する遊星歯車機構や、スプール３に釣り糸を均一に巻き取るためのレベルワインド機構等が設けられている。さらに、リール本体１の下部には、前後方向に伸びた竿取付脚部１３が設けられている。この釣竿装着面１３ａにおいて釣竿が装着される。
【００１５】
リール本体１のハンドル部２側側方にはスタードラグ１０が配置されている。このスタードラグ１０によってドラグ調整を行うことが可能になっている。また、リール本体１のハンドル部２側側面には、ハンドル部２及びモータ１２とスプール３との駆動伝達をオンオフするクラッチ操作レバー１１が配置されている。このクラッチ操作レバー１１をオンすると、仕掛けの自重による糸繰り出し中に、糸繰り出し動作を停止できる。
【００１６】
ハンドル部２は、リール本体１の右側方に配置され、釣竿の中心軸にくい違う軸回りに回転自在になっている。スプール３は、リール本体１の内部で、ハンドル部２の回転軸と平行なスプール軸回りに回転自在にリール本体１に装着されている。スプール３の内部には、スプール３を釣り糸巻き上げ方向に回転駆動する直流駆動のモータ１２が配置されている。
【００１７】
カウンタ部４は、リール本体１の上部に設けられており、リール本体の釣り糸が繰り出される側に配置されている。このカウンタ部４は、タッチパネル式の表示部５と、表示部５やモータ１２を制御するための制御部３０とを有している。タッチパネル式の表示部５には、図３に示すように、表示部５の中央に配置された情報表示部１５と、情報表示部１５の左右および上方に配置された操作スイッチ表示部１６とが表示されている。タッチパネル式の表示部５は、振動式タッチパネルからなっており、後述する操作スイッチ表示部１６の各操作スイッチＳＫ，ＰＷ，ＳＢ，ＭＤ，ＨＳを押すと、表示部５の表面を振動させられるようになっている。この振動式タッチパネルでは、表示部５の表面を振動させるか否かを適宜選択可能になっている。振動式タッチパネルは、スピーカ機能を有しており、各操作スイッチＳＫ，ＰＷ，ＳＢ，ＭＤ，ＨＳを押した時に表面から音を発生させることが可能である。このスピーカ機能も適宜オンオフすることができるようになっている。ここで、操作スイッチ表示部１６には、各操作スイッチＳＫ，ＰＷ，ＳＢ，ＭＤ，ＨＳの表示位置を認識しやすくなるように、表示部５の表面に円形凸状のマーク（破線）が形成されている。
【００１８】
情報表示部１５は、水深表示領域２０（４桁）と、その下方に配置された底水深表示領域２１（３桁）と、水深表示領域２０の右側に配置された段数表示領域２２とを含んでいる。水深表示領域２０の上方には、現在の制御モードがトルクモードであるか速度モードであるかを示す「速度」又は「トルク」の文字が表示されるようになっている。また、段数表示領域２２は、現在の巻き上げ速度又はトルクを５段階で表示可能になっている。
【００１９】
操作スイッチ表示部１６は、情報表示部１５の右側に上下に並べて配置された速度調整スイッチＳＫと、速度調整スイッチＳＫの左下に配置されたモータスイッチＰＷと、情報表示部１５の左側に上下に並べて配置された底メモスイッチＳＢおよびモードスイッチＭＤと、情報表示部１５の上部に配置された表示変更スイッチＨＳとを有している。
【００２０】
速度調整スイッチＳＫは、モータ１２の速度又はトルクの増減を調節するためのスイッチである。この速度調整スイッチＳＫは、情報表示部１５の右側に矩形状に表示されており、上下に２つのスイッチが配置されている。速度調整スイッチＳＫの上側スイッチを押すとスプール３の巻き上げ速度又はトルクが増加し、下側スイッチを押すと巻き上げ速度又はトルクが減少する。そして、速度調整スイッチＳＫの操作をやめると、調節された速度又はトルクが維持される。このように速度調整スイッチＳＫが操作されることで、巻き上げ速度又はトルクの大きさが変化する。このときの巻き上げ速度又はトルクの大きさの変化に応じて、情報表示部１５の段数表示領域２２の表示が５段階に変化する。
【００２１】
モータスイッチＰＷは、モータ１２をオンオフするためのスイッチであり、速度調整スイッチＳＫの下部に矩形状に表示されている。このモータスイッチＰＷがオン操作されると、モータ１２を回転させて連続巻き上げ可能な状態になる。
底メモスイッチＳＢは、仕掛けが底に到達したときに押されるスイッチであり、情報表示部１５の左側に矩形状に表示されている。仕掛けが底に到達したときに底メモスイッチＳＢを押すことで、底位置を示す水深が底水深表示領域２１に表示される。また、底メモスイッチＳＢを所定の時間以上押し続けると、水深表示の０点を新たにセットしなおすことができる。
【００２２】
モードスイッチＭＤは、モータを制御する方法をトルク制御するトルクモードと速度制御する速度モードとのいずれかに切り換えるためのスイッチであり、底メモスイッチＳＢの下部に円形状に表示されている。このモードスイッチＭＤを押すごとに、トルクモードと速度モードとが切り換わる。このときの状態が、水深表示領域２０の上方に「速度」又は「トルク」の文字として表示される。なお、初期設定では、制御モードは速度モードに設定されている。
【００２３】
表示変更スイッチＨＳは、図３および図４に示すように、表示部５の表示内容を切り換え選択するためのスイッチである。この表示変更スイッチＨＳは、「情報」スイッチおよび「操作」スイッチからなっている。これらスイッチは、情報表示部１５の上部に表示されている。「操作」スイッチを押すと、図３に示したように、操作スイッチ表示部１６を大きく表示することができる。また、「情報」スイッチを押すと、図４に示したように、情報表示部１５を大きく表示することができる。
【００２４】
制御部３０は、図５に示すように、カウンタ部４内に配置されており、ＣＰＵ、ＲＡＭ、ＲＯＭ、Ｉ／Ｏインターフェイス等を含むマイクロコンピュータからなっている。制御部３０は、制御プログラムに従って表示部５の表示制御やモータ駆動制御等の各種の制御動作を実行する。制御部３０には、スプールセンサ４１と、スプールカウンタ４２と、トルクセンサ４３とが接続されている。また、制御部３０には、ブザー４４と、ＰＷＭ駆動回路４５と、表示部５と、記憶部４６と、他の入出力部とが接続されている。
【００２５】
スプールセンサ４１は、前後に並べて配置された２つのリードスイッチからなっている。２つのリードスイッチは、スプール３が回転したときに検出パルスを感知するようになっている。そして、いずれのリードスイッチが検出パルスを先に感知したかによって、スプール３の回転方向を検出できる。スプールカウンタ４２は、スプールセンサ４１のオンオフ回数を計数するカウンタであり、この計数値によりスプールの回転数に関するデータが得られる。スプールカウンタ４２は、スプール３が正転（糸繰り出し方向の回転）すると計数値が減少し、逆転すると増加する。
【００２６】
トルクセンサ４３は、トルク制御に使用する巻き上げトルクを検出するためのセンサであり、具体的にはモータ１２に流される電流を検出することにより巻き上げトルクを検出する。ブザー４４は、警報音を鳴らすために使用される。ＰＷＭ駆動回路４５は、モータ１２をＰＷＭ駆動するものであり、制御部３０によりデューティ比が制御されてモータ１２をトルク可変に駆動する。
【００２７】
記憶部４６は、たとえばＥＥＰＲＯＭ等の不揮発メモリから構成されている。記憶部４６には、図６に示すように、情報表示データ記憶エリア５０と、操作スイッチ表示記憶エリア５１と、学習データ記憶エリア５２と、速度データ記憶エリア５３と、トルクデータ記憶エリア５４と、データ記憶エリア５５とが設けられている。情報表示データ記憶エリア５０は、棚位置や現在の仕掛けの水深等を表示データを記憶している。操作スイッチ表示記憶エリア５１は、操作スイッチ表示部１６の各操作スイッチＳＫ，ＰＷ，ＳＢ，ＭＤ，ＨＳの表示位置を記憶している。学習データ記憶エリア５２は、実際の糸長とスプール回転数との関係を示す学習データを記憶している。速度データ記憶エリア５３は、速度の段数ＳＣに応じたスプール３の巻き上げ速度（ｒｐｍ）の上限値を記憶している。トルクデータ記憶エリア５４は、トルクの段数に応じたモータ１２の巻き上げトルク（アンペア）の上限値を記憶している。データ記憶エリア５５は、その他種々のデータを記憶している。
【００２８】
〔電動リールの操作および動作〕
電動リールの操作および動作について説明する。
釣り糸をスプール３から繰り出すときには、たとえば左手でリールを握り、右手でクラッチ操作レバー１１を操作し、スプール３を自由回転状態にする。すると、仕掛けの自重によりスプール３が糸繰り出し方向に回転し、釣り糸がスプール３から繰り出される。そして、リールを左手の親指でサミングしてスプール３の糸繰り出し速度を調整する。このとき、釣り糸がスプール３から繰り出されるにつれて、表示部５に表示される水深表示領域２０の水深表示値が糸繰出量に応じて徐々に増加していく。
【００２９】
仕掛けに魚がかかると、左手でパーミングによりリールを掴み、右手で表示部５の操作スイッチ表示部１６に表示されたモータスイッチＰＷを押す。すると、制御部３０からＰＷＭ駆動回路４５にモータオン信号が送信され、モータ１２が糸巻取方向に回転可能になる。そして、表示部５の操作スイッチ表示部１６に表示された速度調整スイッチＳＫの上部を押すと、スプール３が糸巻取方向に回転し、釣り糸がスプール３に巻き取られる。また、速度調整スイッチＳＫの下部を押すと巻き上げ速度を減少させられるので、巻き上げ速度を調節しながら釣り糸はスプール３に巻き取ることができる。このように速度調整スイッチＳＫを操作して、巻き上げ速度の大きさを増減させたとき、情報表示部１５の段数表示領域２２には巻き上げ速度の大きさが５段階で表示されている。そして、釣り糸がスプール３に巻き取られるにつれて、表示部５に表示される水深表示領域２０の水深表示値が糸繰出量に応じて徐々に減少していく。
【００３０】
このように動作する電動リールにおいて、棚位置や現在の仕掛けの水深等を即座に確認できるようにするためには、カウンタ部４の表示部５の内容を視認しやすくしておくことが有効である。このとき、表示部５の内容を視認しやすくしたことによって、カウンタ部４の操作性が損なわれないように配慮しておくことも必要になる。本実施形態では、表示部５がタッチパネル式になっているので、表示部５に操作スイッチを表示させると、カウンタ部４には操作スイッチを配置しなくてもすみ、カウンタ部４に表示部５を大きく設定することができる。また、表示部５をタッチパネル式にしたことで、操作スイッチの配置や形状は任意に設定できるので、操作スイッチを操作しやすい位置や大きさで表示することができる。これらのことから、カウンタ部４の視認性を向上することができるとともに、カウンタ部４の操作性も維持することができる。
【００３１】
〔他の実施形態〕
（ａ）  前記実施形態では、操作スイッチ表示部１６の各操作スイッチＳＫ，ＰＷ，ＳＢ，ＭＤ，ＨＳが表示された位置で表面に円形凸状のマーク（破線）が形成される場合の例を示したが、各操作スイッチＳＫ，ＰＷ，ＳＢ，ＭＤ，ＨＳの表示位置を示すマークの形状や形成方法は、前記実施形態に限定されず、各操作スイッチＳＫ，ＰＷ，ＳＢ，ＭＤ，ＨＳの位置を容易に認識することができれば、どのようなものでも良い。例えば、各操作スイッチＳＫ，ＰＷ，ＳＢ，ＭＤ，ＨＳの位置には、表示部５の表面に凹部マークを形成しても良い。これにより、各操作スイッチＳＫ，ＰＷ，ＳＢ，ＭＤ，ＨＳの表示位置を容易に認識することができる。また、表示部５の表面に凸状又は凹状のシール部材を貼り付けられるようにしておいても、同様の効果を得ることができる。
【００３２】
（ｂ）  前記実施形態では、情報表示部１５が表示部５の中央に配置され、操作スイッチ表示部１６が情報表示部１５の左右および上部に配置された場合の例を示したが、情報表示部１５と操作スイッチ表示部１６との配置は、前記実施形態に限定されず、各種情報の認識や各種スイッチの操作がしやすくなれば、どのような配置にしても良い。また、各種情報や各種スイッチの表示形態や大きさについても、各種情報の認識や各種スイッチの操作がしやすくなれば、どのようにしても良い。
【００３３】
（ｃ）  前記実施形態では、表示変更スイッチＨＳによって情報表示部１５と操作スイッチ表示部１６とを切り換え選択するようにした場合の例を示したが、各表示部１５，１６の選択スイッチや選択方法は、前記実施形態に限定されず、各種情報の認識や各種スイッチの操作がしやすくなれば、どのようにしても良い。
【００３４】
たとえば１つめの例として、図７に示すように、水深表示領域１２０と、その下方に配置された底水深表示領域１２１と、水深表示領域１２０および底水深表示領域１２１の左側に上下に配置された底メモスイッチＳＢ１、モードスイッチＭＤ１およびモータスイッチＰＷ１とを、表示部１０５に表示させる。そして、モータスイッチＰＷ１を押すと、図８に示すように、水深表示領域１２０と、その下方に左右に配置されたモータスイッチＰＷ１および段数表示領域１２２と、水深表示領域１２０の右側に配置された速度調整スイッチＳＫ１とに、表示部１０５の表示内容が切り換えられる。ここで、モータスイッチＰＷ１を再度押すことで、図８の状態から図７の状態へと復帰することができる。このようにしても、各種情報の視認性を向上したり、各種スイッチの操作性を維持したりすることができる。
【００３５】
たとえば２つめの例として、図９に示すように、底水深表示領域２２１と、底水深表示領域２２１の右側に上下に配置された底メモスイッチＳＢ２およびモードスイッチＭＤ２と、モードスイッチＭＤ２の左側に配置されたモータスイッチＰＷ２とを、表示部２０５に表示させる。そして、モータスイッチＰＷ２を押すと、図１０に示すように、水深表示領域２２０と、その下方に左右に配置された段数表示領域２２２およびモータスイッチＰＷ２と、水深表示領域２２０の右側に配置された速度調整スイッチＳＫ２とに、表示部２０５の表示内容が切り換えられる。このとき、速度調整スイッチＳＫ２の高・低スイッチは、それぞれが底メモスイッチＳＢ２およびモードスイッチＭＤ２の位置に表示されるようになっている。ここで、モータスイッチＰＷ２を再度押すことで、図１０の状態から図９の状態へと復帰することができる。このようにすると、底水深表示領域２２１および水深表示領域２２０や各種操作スイッチを大きく表示することができ、各種情報の視認性や各種スイッチの操作性を向上することができる。
【００３６】
【発明の効果】
本発明によれば、両軸受リールにおいて、表示部がタッチパネル式になっているので、表示部に操作スイッチを表示させると、カウンタ部には操作スイッチを配置しなくてもすみ、カウンタ部に表示部を大きく設定することができる。また、表示部をタッチパネル式にしたことで、操作スイッチの配置や形状は任意に設定できるので、操作スイッチを操作しやすい位置や大きさで表示することができる。これらのことから、カウンタ部の視認性を向上することができるとともに、カウンタ部の操作性も維持することができる。
【図面の簡単な説明】
【図１】本発明の一実施形態による両軸受リールの斜視図。
【図２】前記両軸受リールの上面図。
【図３】前記両軸受リールの表示部の操作画面。
【図４】前記両軸受リールの表示部の情報表示画面。
【図５】前記両軸受リールの制御部の構成を示すブロック図。
【図６】前記両軸受リールの記憶部の格納内容を示す図。
【図７】本発明の他の実施形態による表示部の水深表示画面および底水深表示画面と各種操作スイッチ。
【図８】本発明の他の実施形態による表示部の水深表示画面および段数表示画面と速度調整スイッチ。
【図９】本発明の他の実施形態による表示部の底水深表示画面と各種操作スイッチ。
【図１０】本発明の他の実施形態による表示部の図８に相当する図。
【符号の説明】
１  リール本体
２  ハンドル部
３  スプール
４  カウンタ部
５，１０５，２０５  表示部
１５  情報表示部
１６  操作スイッチ表示部
２０，１２０，２２０  水深表示領域
２１，１２１，２２１  底水深表示領域
２２，１２２，２２２  段数表示領域
３０  制御部
ＳＫ，ＳＫ１，ＳＫ２  速度調整スイッチ
ＰＷ，ＰＷ１，ＰＷ２  モータスイッチ
ＳＢ，ＳＢ１，ＳＢ２  底メモスイッチ
ＭＤ，ＭＤ１，ＭＤ２  モードスイッチ
ＨＳ  表示変更スイッチ
【図１】
2004290067.tif 000003
【図２】
2004290067.tif 000004
【図３】
2004290067.tif 000005
【図４】
2004290067.tif 000006
【図５】
2004290067.tif 000007
【図６】
2004290067.tif 000008
【図７】
2004290067.tif 000009
【図８】
2004290067.tif 000010
【図９】
2004290067.tif 000011
【図１０】
2004290067.tif 000012